(57)【特許請求の範囲】
【請求項１】
第１サービスを提供する第１サービス提供装置を含み第１通信規格による通信ネットワークと、
第２サービスを提供する第２サービス提供装置を含み第２通信規格による情報ネットワークと、
第３サービスを提供する第３サービス提供装置を含み第３通信規格による第３ネットワークと、
前記通信ネットワークと前記情報ネットワークと前記第３ネットワークとのそれぞれに接続する情報提供装置と、
前記通信ネットワークと前記情報ネットワークと前記第３ネットワークとのいずれかに接続する端末と
を備えるネットワーク間連携サービス提供システムにおける前記情報提供装置であって、
前記第１通信規格により前記通信ネットワークと通信する第１通信部と、
前記第２通信規格により前記情報ネットワークと通信する第２通信部と、
前記第３通信規格により前記第３ネットワークと通信する第３通信部と、
前記通信ネットワークの前記第１サービスと、前記情報ネットワークの前記第２サービスと、前記第３ネットワークの前記第３サービスとのそれぞれのサービス間の送受信信号のプロトコル変換とデータ信号のデータ変換を行う変換手段と、
前記端末の状況を示す情報であるコンテキスト情報と、前記端末の識別情報とを対応付けて記憶するコンテキスト情報記憶手段と、
前記第１、第２及び第３の通信部のいずれかを介して前記端末から連携サービス利用要求を受信した際に、前記連携サービス利用要求に含まれる前記端末の識別情報に対応付けられた前記コンテキスト情報を前記コンテキスト情報記憶手段から読み出し、読み出したコンテキスト情報に応じて選択された実行すべきサービスエレメントまたはサービステンプレートを記述することによりサービスシナリオを生成するサービスシナリオ生成手段と、
前記サービスシナリオに記述された前記サービスエレメントまたはサービステンプレートに対応するプロトコル種別情報及び前記第１、第２及び第３サービス装置のいずれかのサービス装置の通信経路情報を出力するサービスレジストリ手段と、
前記プロトコル種別情報に基づき、前記サービスシナリオの実行要求を前記変換手段によりプロトコル変換し、前記通信経路情報に基づき、前記サービスシナリオを実行すべき前記第１、第２及び第３サービス装置のいずれかのサービス装置の通信経路を特定して、前記第１、第２及び第３サービス装置のいずれかのサービス装置に対して、プロトコル変換された前記サービスシナリオの実行要求を送信し、該サービスシナリオの実行要求に応じて、前記サービスシナリオを実行した処理結果を応答データとして受信し、該応答データを前記変換手段により、データ変換とプロトコル変換を行って、前記第１、第２及び第３の通信部のいずれかを介して前記連携サービス利用要求を行った端末へ送信するサービス実行手段と
を備えることを特徴とする情報提供装置。
【請求項２】
第１サービスを提供する第１サービス提供装置を含み第１通信規格による通信ネットワークと、
第２サービスを提供する第２サービス提供装置を含み第２通信規格による情報ネットワークと、
第３サービスを提供する第３サービス提供装置を含み第３通信規格による第３ネットワークと、
前記通信ネットワークと前記情報ネットワークと前記第３ネットワークとのそれぞれに接続する情報提供装置と、
前記通信ネットワークと前記情報ネットワークと前記第３ネットワークとのいずれかに接続する端末と
を備えるネットワーク間連携サービス提供システムであって、
前記情報提供装置は、
前記第１通信規格により前記通信ネットワークと通信する第１通信部と、
前記第２通信規格により前記情報ネットワークと通信する第２通信部と、
前記第３通信規格により前記第３ネットワークと通信する第３通信部と、
前記通信ネットワークの前記第１サービスと、前記情報ネットワークの前記第２サービスと、前記第３ネットワークの前記第３サービスとのそれぞれのサービス間の送受信信号のプロトコル変換とデータ信号のデータ変換を行う変換手段と、
前記端末の状況を示す情報であるコンテキスト情報と、前記端末の識別情報とを対応付けて記憶するコンテキスト情報記憶手段と、
前記第１、第２及び第３の通信部のいずれかを介して前記端末から連携サービス利用要求を受信した際に、前記連携サービス利用要求に含まれる前記端末の識別情報に対応付けられた前記コンテキスト情報を前記コンテキスト情報記憶手段から読み出し、読み出したコンテキスト情報に応じて選択された実行すべきサービスエレメントまたはサービステンプレートを記述することによりサービスシナリオを生成するサービスシナリオ生成手段と、
前記サービスシナリオに記述された前記サービスエレメントまたはサービステンプレートに対応するプロトコル種別情報及び前記第１、第２及び第３サービス装置のいずれかのサービス装置の通信経路情報を出力するサービスレジストリ手段と、
前記プロトコル種別情報に基づき、前記サービスシナリオの実行要求を前記変換手段によりプロトコル変換し、前記通信経路情報に基づき、前記サービスシナリオを実行すべき前記第１、第２及び第３サービス装置のいずれかのサービス装置の通信経路を特定して、前記第１、第２及び第３サービス装置のいずれかのサービス装置に対して、プロトコル変換された前記サービスシナリオの実行要求を送信し、該サービスシナリオの実行要求に応じて、前記サービスシナリオを実行した処理結果を応答データとして受信し、該応答データを前記変換手段により、データ変換とプロトコル変換を行って、前記第１、第２及び第３の通信部のいずれかを介して前記連携サービス利用要求を行った端末へ送信するサービス実行手段とを備える
ことを特徴とするネットワーク間連携サービス提供システム。
【請求項３】
第１サービスを提供する第１サービス提供装置を含み第１通信規格による通信ネットワークと、
第２サービスを提供する第２サービス提供装置を含み第２通信規格による情報ネットワークと、
第３サービスを提供する第３サービス提供装置を含み第３通信規格による第３ネットワークと、
前記通信ネットワークと前記情報ネットワークと前記第３ネットワークとのそれぞれに接続するために、前記第１通信規格により前記通信ネットワークと通信する第１通信部と、前記第２通信規格により前記情報ネットワークと通信する第２通信部と、前記第３通信規格により前記第３ネットワークと通信する第３通信部と、前記通信ネットワークの前記第１サービスと、前記情報ネットワークの前記第２サービスと、前記第３ネットワークの前記第３サービスとのそれぞれのサービス間の送受信信号のプロトコル変換とデータ信号のデータ変換を行う変換手段と、前記端末の状況を示す情報であるコンテキスト情報と、前記端末の識別情報とを対応付けて記憶するコンテキスト情報記憶手段とを備える情報提供装置と、
前記通信ネットワークと前記情報ネットワークと前記第３ネットワークとのいずれかに接続する端末と
を備えるネットワーク間連携サービス提供システムの前記情報提供装置におけるネットワーク間サービス提供方法であって、
前記第１、第２及び第３の通信部のいずれかを介して前記端末から連携サービス利用要求を受信した際に、前記連携サービス利用要求に含まれる前記端末の識別情報に対応付けられた前記コンテキスト情報を前記コンテキスト情報記憶手段から読み出し、読み出したコンテキスト情報に応じて選択された実行すべきサービスエレメントまたはサービステンプレートを記述することによりサービスシナリオを生成するサービスシナリオ生成ステップと、
前記サービスシナリオに記述された前記サービスエレメントまたはサービステンプレートに対応するプロトコル種別情報及び前記第１、第２及び第３サービス装置のいずれかのサービス装置の通信経路情報を出力するサービスレジストリステップと、
前記プロトコル種別情報に基づき、前記サービスシナリオの実行要求を前記変換手段によりプロトコル変換し、前記通信経路情報に基づき、前記サービスシナリオを実行すべき前記第１、第２及び第３サービス装置のいずれかのサービス装置の通信経路を特定して、前記第１、第２及び第３サービス装置のいずれかのサービス装置に対して、プロトコル変換された前記サービスシナリオの実行要求を送信し、該サービスシナリオの実行要求に応じて、前記サービスシナリオを実行した処理結果を応答データとして受信し、該応答データを前記変換手段により、データ変換とプロトコル変換を行って、前記第１、第２及び第３の通信部のいずれかを介して前記連携サービス利用要求を行った端末へ送信するサービス実行ステップと
を有することを特徴とするネットワーク間連携サービス提供方法。
【発明の詳細な説明】
【技術分野】
【０００１】
本発明はＮＧＮ（Next Generation Network、次世代通信網）上でインターネット利用システム等による非ＩＭＳネットワークとの連携サービスを提供する技術であって、特に通信ネットワークと非ＩＭＳネットワークとの連携サービス提供システム、情報提供装置、及び連携サービス提供方法に関する。
【背景技術】
【０００２】
近年、ＩＭＳ（IP Multimedia Subsystem）対応ネットワーク（以下、通信ネットワーク）のＩＰ（Internet Protocol）化に伴い、通信ネットワークと非ＩＭＳ対応ネットワーク（以下、他ネットワーク）とを連携しようとする動きが国際的にも活発である。例えば、非特許文献１で開示されているように、通信ネットワークの国際標準化機関ＩＴＵ−Ｔでは、通信ネットワークをＩＰ化した次世代ネットワークＮＧＮにおけるインタフェースやサービスなどの標準化活動を活発に行っている。
【０００３】
また、通信ネットワークと他ネットワークの１種である情報ネットワークとのインタフェースの技術として、非特許文献２に示すように、ＮＧＮと、情報ネットワークとが、ＮＮＩ（Network-Network Interface）、ＳＮＩ（Application Server-Network Interface）、ＵＮＩ（User-Network Interface）などのインタフェースを用いて接続され、情報通信が行われている。そして、ＩＰ化されたＩＭＳによる通信ネットワーク内にあるサービスと、ＩＰによる情報ネットワーク内にあるサービスとを連携させることが提案されている。
【０００４】
このサービスの連携は、両ネットワーク間のサービスを連携する情報提供装置を通信ネットワークあるいは情報ネットワーク内に配置し、通信ネットワークのサービスと情報ネットワークのサービスとの連携のための標準通信規格であるＳＯＡＰ（Simple Object Access Protocol）を用いて、情報提供装置がサービス提供元の装置にＩＰベースの通信により、連携を行うことにより、連携処理が可能になる技術である。
【非特許文献１】黒川、東、「ＥＴＳＩ  ＴＩＳＰＡＮのＮＧＮ標準化動向」、ＮＴＴ技術ジャーナル、社団法人電気通信協会、２００６年４月、ＶＯＬ．１８、Ｎｏ．４、ｐ．７１
【非特許文献２】江崎、他、「特集  ＮＧＮが提供する新しいコミュニケーションとそれを支える技術」、ＮＴＴ技術ジャーナル、社団法人電気通信協会、２００７年４月、ＶＯＬ．１９、Ｎｏ．４、ｐ．３２−４３
【発明の開示】
【発明が解決しようとする課題】
【０００５】
しかしながら、現在、ＩＭＳに対応していない他ネットワークのうち、情報ネットワークに含まれないネットワーク、すなわち、ＩＰベースではないネットワーク（以下、第三ネットワーク）で用いられている通信プロトコルと、通信ネットワーク内で用いられている通信プロトコルとの間で互換性がないため、上述した情報提供装置によるシステムでは、第三ネットワークと通信できず、通信ネットワークや情報ネットワークと第三ネットワークとの間での連携処理ができないという問題がある。
また、通信ネットワーク内で用いられている無線、有線、ケーブル、コネクタ等の通信規格と、第三ネットワークで用いられている無線、有線、ケーブル、コネクタ等の通信規格とにおいて、互換性がないため、相互に接続できない。したがって、通信ネットワーク内の端末から、第三ネットワークの提供する機能やサービスを利用することができないという問題がある。
【０００６】
本発明は、このような事情を考慮し、上記の問題を解決すべくなされたもので、その目的は、ＩＭＳをＩＰ化したＮＧＮにおいて提供されるサービスと、ＩＰ系のネットワークにおいて提供されるサービスと、非ＩＰ系のネットワークにおいて提供されるサービスとの間の連携を行う連携サービスを提供することができる情報提供装置、ネットワーク間連携サービス提供システム、及び、ネットワーク間連携サービス提供方法を提供することにある。
【課題を解決するための手段】
【０００７】
上記問題を解決するために、本発明は、第１サービスを提供する第１サービス提供装置を含み第１通信規格による通信ネットワークと、第２サービスを提供する第２サービス提供装置を含み第２通信規格による情報ネットワークと、第３サービスを提供する第３サービス提供装置を含み第３通信規格による第３ネットワークと、前記通信ネットワークと前記情報ネットワークと前記第３ネットワークとのそれぞれに接続する情報提供装置と、前記通信ネットワークと前記情報ネットワークと前記第３ネットワークとのいずれかに接続する端末とを備えるネットワーク間連携サービス提供システムにおける前記情報提供装置であって、前記第１通信規格により前記通信ネットワークと通信する第１通信部と、前記第２通信規格により前記情報ネットワークと通信する第２通信部と、前記第３通信規格により前記第３ネットワークと通信する第３通信部と、前記通信ネットワークの前記第１サービスと、前記情報ネットワークの前記第２サービスと、前記第３ネットワークの前記第３サービスとのそれぞれのサービス間の送受信信号のプロトコル変換とデータ信号のデータ変換を行う変換手段と、前記端末の状況を示す情報であるコンテキスト情報と、前記端末の識別情報とを対応付けて記憶するコンテキスト情報記憶手段と、前記第１、第２及び第３の通信部のいずれかを介して前記端末から連携サービス利用要求を受信した際に、前記連携サービス利用要求に含まれる前記端末の識別情報に対応付けられた前記コンテキスト情報を前記コンテキスト情報記憶手段から読み出し、読み出したコンテキスト情報に応じて選択された実行すべきサービスエレメントまたはサービステンプレートを記述することによりサービスシナリオを生成するサービスシナリオ生成手段と、前記サービスシナリオに記述された前記サービスエレメントまたはサービステンプレートに対応するプロトコル種別情報及び前記第１、第２及び第３サービス装置のいずれかのサービス装置の通信経路情報を出力するサービスレジストリ手段と、前記プロトコル種別情報に基づき、前記サービスシナリオの実行要求を前記変換手段によりプロトコル変換し、前記通信経路情報に基づき、前記サービスシナリオを実行すべき前記第１、第２及び第３サービス装置のいずれかのサービス装置の通信経路を特定して、前記第１、第２及び第３サービス装置のいずれかのサービス装置に対して、プロトコル変換された前記サービスシナリオの実行要求を送信し、該サービスシナリオの実行要求に応じて、前記サービスシナリオを実行した処理結果を応答データとして受信し、該応答データを前記変換手段により、データ変換とプロトコル変換を行って、前記第１、第２及び第３の通信部のいずれかを介して前記連携サービス利用要求を行った端末へ送信するサービス実行手段とを備えることを特徴とする情報提供装置である。
【００１１】
本発明のネットワーク間連携サービス提供システムは、第１サービスを提供する第１サービス提供装置を含み第１通信規格による通信ネットワークと、第２サービスを提供する第２サービス提供装置を含み第２通信規格による情報ネットワークと、第３サービスを提供する第３サービス提供装置を含み第３通信規格による第３ネットワークと、前記通信ネットワークと前記情報ネットワークと前記第３ネットワークとのそれぞれに接続する情報提供装置と、前記通信ネットワークと前記情報ネットワークと前記第３ネットワークとのいずれかに接続する端末とを備えるネットワーク間連携サービス提供システムであって、前記情報提供装置は、前記第１通信規格により前記通信ネットワークと通信する第１通信部と、前記第２通信規格により前記情報ネットワークと通信する第２通信部と、前記第３通信規格により前記第３ネットワークと通信する第３通信部と、前記通信ネットワークの前記第１サービスと、前記情報ネットワークの前記第２サービスと、前記第３ネットワークの前記第３サービスとのそれぞれのサービス間の送受信信号のプロトコル変換とデータ信号のデータ変換を行う変換手段と、前記端末の状況を示す情報であるコンテキスト情報と、前記端末の識別情報とを対応付けて記憶するコンテキスト情報記憶手段と、前記第１、第２及び第３の通信部のいずれかを介して前記端末から連携サービス利用要求を受信した際に、前記連携サービス利用要求に含まれる前記端末の識別情報に対応付けられた前記コンテキスト情報を前記コンテキスト情報記憶手段から読み出し、読み出したコンテキスト情報に応じて選択された実行すべきサービスエレメントまたはサービステンプレートを記述することによりサービスシナリオを生成するサービスシナリオ生成手段と、前記サービスシナリオに記述された前記サービスエレメントまたはサービステンプレートに対応するプロトコル種別情報及び前記第１、第２及び第３サービス装置のいずれかのサービス装置の通信経路情報を出力するサービスレジストリ手段と、前記プロトコル種別情報に基づき、前記サービスシナリオの実行要求を前記変換手段によりプロトコル変換し、前記通信経路情報に基づき、前記サービスシナリオを実行すべき前記第１、第２及び第３サービス装置のいずれかのサービス装置の通信経路を特定して、前記第１、第２及び第３サービス装置のいずれかのサービス装置に対して、プロトコル変換された前記サービスシナリオの実行要求を送信し、該サービスシナリオの実行要求に応じて、前記サービスシナリオを実行した処理結果を応答データとして受信し、該応答データを前記変換手段により、データ変換とプロトコル変換を行って、前記第１、第２及び第３の通信部のいずれかを介して前記連携サービス利用要求を行った端末へ送信するサービス実行手段とを備えることを特徴とするネットワーク間連携サービス提供システムである。
【００１２】
本発明は、第１サービスを提供する第１サービス提供装置を含み第１通信規格による通信ネットワークと、第２サービスを提供する第２サービス提供装置を含み第２通信規格による情報ネットワークと、第３サービスを提供する第３サービス提供装置を含み第３通信規格による第３ネットワークと、前記通信ネットワークと前記情報ネットワークと前記第３ネットワークとのそれぞれに接続するために、前記第１通信規格により前記通信ネットワークと通信する第１通信部と、前記第２通信規格により前記情報ネットワークと通信する第２通信部と、前記第３通信規格により前記第３ネットワークと通信する第３通信部と、前記通信ネットワークの前記第１サービスと、前記情報ネットワークの前記第２サービスと、前記第３ネットワークの前記第３サービスとのそれぞれのサービス間の送受信信号のプロトコル変換とデータ信号のデータ変換を行う変換手段と、前記端末の状況を示す情報であるコンテキスト情報と、前記端末の識別情報とを対応付けて記憶するコンテキスト情報記憶手段とを備える情報提供装置と、前記通信ネットワークと前記情報ネットワークと前記第３ネットワークとのいずれかに接続する端末とを備えるネットワーク間連携サービス提供システムの前記情報提供装置におけるネットワーク間サービス提供方法であって、前記第１、第２及び第３の通信部のいずれかを介して前記端末から連携サービス利用要求を受信した際に、前記連携サービス利用要求に含まれる前記端末の識別情報に対応付けられた前記コンテキスト情報を前記コンテキスト情報記憶手段から読み出し、読み出したコンテキスト情報に応じて選択された実行すべきサービスエレメントまたはサービステンプレートを記述することによりサービスシナリオを生成するサービスシナリオ生成ステップと、前記サービスシナリオに記述された前記サービスエレメントまたはサービステンプレートに対応するプロトコル種別情報及び前記第１、第２及び第３サービス装置のいずれかのサービス装置の通信経路情報を出力するサービスレジストリステップと、前記プロトコル種別情報に基づき、前記サービスシナリオの実行要求を前記変換手段によりプロトコル変換し、前記通信経路情報に基づき、前記サービスシナリオを実行すべき前記第１、第２及び第３サービス装置のいずれかのサービス装置の通信経路を特定して、前記第１、第２及び第３サービス装置のいずれかのサービス装置に対して、プロトコル変換された前記サービスシナリオの実行要求を送信し、該サービスシナリオの実行要求に応じて、前記サービスシナリオを実行した処理結果を応答データとして受信し、該応答データを前記変換手段により、データ変換とプロトコル変換を行って、前記第１、第２及び第３の通信部のいずれかを介して前記連携サービス利用要求を行った端末へ送信するサービス実行ステップとを有することを特徴とするネットワーク間連携サービス提供方法である。
【発明の効果】
【００１３】
本発明によれば、他ネットワークで用いられている無線、有線、ケーブル、コネクタ等の通信規格及び通信プロトコルに対応する第２通信部と第３通信部と、通信ネットワークで用いられている無線、有線、ケーブル、コネクタ等の通信規格及び通信プロトコルに対応する第１通信部とを情報提供装置が備えることにより、通信ネットワークと他ネットワークとの双方に対応することで、他ネットワークと通信ネットワークとの信号を終端することができ、信号の振り分けが可能になるという効果がある。
これにより、他ネットワーク上に展開されている他ネットワークサービスと、通信ネットワーク上に展開されている通信ネットワークサービスとの連携が可能となり、今までにないサービスが作成可能になるという効果がある。
【発明を実施するための最良の形態】
【００１７】
以下、本発明の一実施形態による信号振り分けシステム１００を図面を参照して説明する。図１は、本実施形態による信号振り分けシステム１００を示す概略構成図である。図１において、信号振り分けシステム１００は、例えば、ＮＧＮなどの通信ネットワーク１と、他ネットワーク２と、通信ネットワーク１と他ネットワーク２とに接続する情報提供装置３と、通信ネットワーク１に接続する端末４と、他ネットワーク２と接続する端末５と、他ネットワーク２に含まれる情報ネットワーク４１とを備える。
通信ネットワーク１は、電話網やＩＰ電話網などを含む通信ネットワークである。他ネットワーク２は、例えば、インターネットや、情報家電ネットワーク、企業内ネットワークなどを含む通信ネットワークであり、例えば、インターネットによる情報ネットワーク４１を含む。
【００１８】
通信ネットワーク１に接続する端末４、及び、他ネットワーク２に接続する端末５は、例えば、パーソナルコンピュータ、ＰＤＡ（Personal Digital Assistants：情報携帯端末）、携帯電話などのコンピュータ端末や、電話機などの通信端末装置である。
情報提供装置３は、通信ネットワーク１と、他ネットワーク２とのネットワーク間の相互連携処理を行う。
【００１９】
情報提供装置３による相互連携処理は、例えば、端末４や端末５の状況、あるいは端末４や端末５のユーザ（利用者）の状況を示すコンテキスト情報に基づき、提供するサービスを選択し、端末４、又は、端末５から受信した実行要求信号の形式を、選択したサービスの手順に従う実行要求信号の形式に変換し、変換した実行要求信号をサービス提供装置等に送信する。また、送信した実行要求信号に対する応答信号の形式を、実行要求信号の送信元の形式に変換して、変換した応答信号を実行要求信号の送信元である端末端末４、又は、端末５に送信する。
【００２０】
具体的には、情報提供装置３は、プロトコル変換処理、及び、データ変換処理を行うことにより、通信ネットワーク１における提供サービスと、他ネットワーク２における提供サービス（例えば、情報ネットワーク４１による提供サービス）とを連携することにより、連携サービスを提供する。
データ変換処理の一例として、例えば、端末４が電話機であり、端末５が音楽再生装置である場合、端末４から端末５への音声データの出力において、端末４が送信する音声データの符号化形式を端末５において再生可能となる音声データの符号化形式に変換する処理などがある。
【００２１】
情報提供装置３は、例えば、ＩＭＳなど、通信ネットワーク１の通信規格に準拠するインタフェースにより通信ネットワーク１を経由して接続される機器と通信する。また、情報提供装置３は、他ネットワーク２の通信規格に基づくインタフェース、又は、通信ネットワーク１の通信規格に準拠するインタフェースのいずれかにより他ネットワーク２を経由して接続される機器と通信する。
なお、他ネットワーク２における通信規格は、例えば、ＳＯＡＰ、ＥＣＨＯＮＥＴ（Energy Conservation and Homecare Network）、ＵＰｎＰ（Universal Plug and Play）などによる通信規格が適用される。また、情報提供装置３と他ネットワーク２との通信が、通信ネットワーク１の規格に準拠する場合、例えば、非特許文献２に記載されている技術を用いて、情報提供装置３が連携処理を行う。
【００２２】
図２は、信号振り分けシステム１００における各構成の基本機能を示す概念図である。同図において、信号振り分けシステム１００が、通信ネットワーク１と、情報提供装置３と、他ネットワーク２とを備える場合を例に説明する。
通信ネットワーク１、及び、他ネットワーク２において提供されるサービスは、例えば、サービス管理機能１２、及び、サービス管理機能７１によるユーザ認証処理や課金処理などを行うサービス、トラヒック情報や通信ログ情報など、統計に用いるデータとなるデータ１３、及び、データ７２の読み出しを行うサービスと、ユーザの契約情報やユーザの課金情報、個人情報などの情報１５、及び、情報７３の読み出しを行うサービス、接続制御機能１６、及び、接続制御機能７４による呼制御などの通信の接続制御を行うサービスである。
【００２３】
情報提供装置３は、上述の各種サービスの機能を示す情報などのデータを蓄積しており、プロトコル変換処理や、データ変換処理などを行うことにより、通信ネットワーク１と、他ネットワーク２との間において、サービス管理機能１２とサービス管理機能７１との連携処理、データ１３とデータ７２との連携処理、情報１５と情報７３との連携処理のいずれか、又は、その組合せによる連携処理を実行する。ここでは、例えば、情報提供装置３は、ＩＭＳにより通信ネットワーク１を経由して接続される機器と通信し、非ＩＭＳによる通信規格により、他ネットワーク２を経由して接続される機器と通信する。
【００２４】
次に、情報提供装置３の内部構成について説明する。図３は、情報提供装置３の内部構成例、及び、各ネットワークとの接続関係を示す図である。図３において、他ネットワーク２の一例として、例えば、固有プロトコルＡによるネットワークＡ８と、ＳＯＡＰによる情報ネットワーク４１（例えば、インターネットなど）と、固有プロトコルＢによるネットワークＢ９との通信を例に説明する。
【００２５】
情報提供装置３は、サービス管理制御手段３５と、サービスレジストリ手段３６と、サービスシナリオ実行手段３７と、ＩＭＳ対応手段３１１と、非ＩＭＳ手段３８と、コンテキスト情報ＤＢ（ＤａｔａＢａｓｅ）３９と、ＩＭＳ対応部３１と、ネットワークＡ８対応部３２と、Ｗｅｂ対応部３３と、ネットワークＢ９対応部３４とを備える。
情報提供装置３は、ＩＭＳ対応手段３１１により、ＩＭＳを用いた通信ネットワーク１との通信を行い、非ＩＭＳ手段３８により、ＩＭＳに対応していないネットワークである他ネットワーク２との通信を行う。
【００２６】
情報提供装置３において、非ＩＭＳ手段３８は、ネットワークＡ８対応部３２と、Ｗｅｂ対応部３３と、ネットワークＢ９対応部３４とに接続しており、制御信号を出力することにより、各部の制御を行う。
ネットワークＡ８対応部３２は、ネットワークＡ８と固有プロトコルＡを用いた通信方式により接続しており、非ＩＭＳ手段３８から入力される制御信号に基づき、固有プロトコルＡに関するプロトコル変換と、データ変換と、ネットワークＡ８との通信におけるセッション管理とを行う。
【００２７】
Ｗｅｂ対応部３３は、情報ネットワーク４１とＳＯＡＰを用いた通信方式により接続しており、非ＩＭＳ手段３８から入力される制御信号に基づき、ＳＯＡＰに関するプロトコル変換と、データ変換と、情報ネットワーク４１との通信におけるセッション管理とを行う。
ネットワークＢ９対応部３４は、ネットワークＢ９と固有プロトコルＢを用いた通信方式により接続しており、非ＩＭＳ手段３８から入力される制御信号に基づき、固有プロトコルＢの固有プロトコルＢに関するプロトコル変換と、データ変換と、ネットワークＢ９との通信におけるセッション管理とを行う。
【００２８】
ＩＭＳ対応手段３１１は、ＩＭＳ対応部３１に接続しており、制御信号を出力することによりＩＭＳ対応部３１の制御を行う。
ＩＭＳ対応部３１は、通信ネットワーク１とＩＭＳに準拠する通信規格として、例えば、ＳＩＰのプロトコルを用いた通信方式により接続しており、ＩＭＳ対応手段３１１から入力される制御信号に基づき、ＳＩＰに関するプロトコル変換と、データ変換と、通信ネットワーク１との通信におけるセッション管理とを行う。
サービス管理制御手段３５は、ユーザ認証処理、課金ポリシーに基づく課金管理処理、ユーザ管理、いたずら電話等を繰り返す端末からの通信制限を要求する処理などを行う装置システム制御などのサービス管理制御処理を行う。
【００２９】
サービスレジストリ手段３６は、サービスの情報を内部の記憶領域に記憶しており、サービスシナリオに記述されたサービスの情報を出力することにより、払出し管理制御を行う。サービスの情報とは、サービスに関するデータであり、例えば、サービスの内容や、当該サービスにおいて用いられるプロトコル種別情報、サービスを提供する装置への通信経路情報などの情報である。
【００３０】
サービスシナリオ実行手段３７は、ユーザの状況に応じたサービスシナリオを生成し、生成したサービスシナリオを含むサービス提供実行要求信号をサービスレジストリ手段３６に出力する。サービスシナリオ実行手段３７は、ユーザからの利用要求に応じて、コンテキスト情報ＤＢ３９から、当該ユーザの状況情報を示すコンテキスト情報を読み出し、読み出したコンテキスト情報に応じてサービスエレメントや、サービステンプレートを選択し、サービスシナリオを生成する。具体的には例えば、サービスシナリオ実行手段３７は、コンテキスト情報ＤＢ３９が記憶するコンテキスト情報のうち、ユーザの位置情報に基づき、ユーザの位置に近いサービスエレメントを選択し、選択したサービスエレメントの実行を含むサービスシナリオを生成する。
【００３１】
コンテキスト情報ＤＢ３９は、ユーザの状況を示す状況情報と、当該ユーザに固有のユーザ識別情報とが対応付けられたコンテキスト情報を記憶する。
なお、上述した情報処理装置３の各部による処理は、情報提供装置３に搭載されるコンピュータプログラムにより実行されることとして説明するが、これに限られず、一部の処理を、情報提供装置３の外部の装置に搭載されるコンピュータプログラムにより実行する構成でも適用可能である。
【００３２】
図４は、図３に示す情報提供装置３と、通信ネットワーク１、情報ネットワーク４１、ネットワークＡ８、ネットワークＢ９との間の通信方式を示す図である。上述したように、情報提供装置３は、ＩＭＳの通信規格に準拠するＳＩＰのプロトコルにより、通信ネットワーク１を経由して接続される機器と通信し、ＩＭＳの通信規格に準拠しない非ＩＭＳ対応の固有プロトコルＡによりネットワークＡ８を経由して接続される機器と通信し、非ＩＭＳ対応の固有プロトコルＢによりネットワークＢ９を経由して接続される機器と通信し、非ＩＭＳ対応であるＳＯＡＰにより情報ネットワーク４１を経由して接続される機器と通信する。
【００３３】
情報提供装置３において、ＩＭＳ対応部３１がＳＩＰに関するプロトコル変換とセッション管理とデータ変換とを行い、ネットワークＡ８対応部３２が固有プロトコルＡに関するプロトコル変換とセッション管理とデータ変換とを行い、ネットワークＢ９対応部３４が固有プロトコルＢに関するプロトコル変換とセッション管理とデータ変換とを行い、Ｗｅｂ対応部３３がＳＯＡＰに関するプロトコル変換とセッション管理とデータ変換とを行う。以上が、信号振り分けシステム１００の基本構成となる。
【００３４】
次に、信号振り分けシステム１００における連携処理の具体例として、信号振り分けシステム１０１において、ネットワークＡ８から受信する連携サービスの実行要求に基づき、通信ネットワーク１におけるサービスを実行する場合を例として図面を用いて説明する。図５は、信号振り分けシステム１０１の構成図である。なお、信号振り分けシステム１０１において、上述した図３の信号振り分けシステム１００と同様の構成については同一の符号を付し、その説明を省略する。
【００３５】
図５において、信号振り分けシステム１０１は、情報提供装置３−１と、情報提供装置３−１に接続する通信ネットワーク１と、情報提供装置３−１に接続するネットワークＡ８とを備える。
情報提供装置３−１は、通信ネットワーク１に接続するＩＭＳ対応部３１と、ネットワークＡ８に接続するネットワークＡ８対応部３２と、サービス管理制御手段３５と、サービスレジストリ手段３６と、サービスシナリオ実行手段３７と、ＩＭＳ対応手段３１１と、非ＩＭＳ手段３８と、コンテキスト情報ＤＢ３９とを備える。
【００３６】
次に、図５における信号振り分けシステム１０１の動作について説明する。図６は、図５に示す信号振り分けシステム１０１における処理の流れを示すフロー図である。
固有プロトコルＡによるネットワークＡ８からのアクセスとして、ネットワークＡ８に接続する端末５は、通信ネットワーク１とのサービス連携処理を要求する連携サービス要求信号を情報提供装置３−１に送信する（ステップＳ１）。ここで、連携サービス要求信号は、端末５の識別情報とパスワードとを含むユーザ認証情報を含む信号である。
【００３７】
情報提供装置３−１において、ネットワークＡ８に接続するネットワークＡ８対応部３２は、当該アクセスによる連携サービス要求信号を受信し、サービス管理制御手段３５に受信した連携サービス要求信号を出力する。サービス管理制御手段３５は、入力される連携サービス要求信号に基づき、当該アクセスの正当性の判定処理として、ユーザ認証処理を行う。
【００３８】
ここで、ユーザ認証処理は、例えば、端末５のユーザに固有のユーザ識別情報と、パスワードとの組合せをサービス管理制御手段３５が予め内部の記憶領域に記憶しており、記憶しているユーザ識別情報とパスワードとの組合せと、連携サービス要求信号に含まれるユーザ認証情報のユーザ識別情報とパスワードとの組合せとが一致する場合を認証成功とし、一致しない場合を認証失敗として判定する（ステップＳ３）。
サービス管理制御手段３５は、ユーザ認証処理における判定結果が認証失敗の場合、ネットワークＡ８対応部３２を介して、サービス実行を拒否する通知をネットワークＡ８の要求元である端末５に応答する（ステップＳ４）。
【００３９】
サービス管理制御手段３５は、ユーザ認証処理における判定結果が認証成功の場合、連携サービス要求信号をサービスシナリオ実行手段３７に出力する。サービスシナリオ実行手段３７は、入力される連携サービス要求信号に含まれるユーザ認証情報のユーザ識別情報を検索キーとしてコンテキスト情報をコンテキスト情報ＤＢ３９から読み出す。サービスシナリオ実行手段３７は、読み出したコンテキスト情報に基づき、当該コンテキスト情報に応じたサービスシナリオを作成し、当該サービスシナリオを含むシナリオ実行要求信号をサービスレジストリ手段３６に出力する（ステップＳ５）。
【００４０】
サービスレジストリ手段３６は、入力されるサービスシナリオに対応するサービスに関する情報を含むシナリオ実行要求信号をＩＭＳ対応部３１に出力する（ステップＳ６）。
ＩＭＳ対応部３１は、入力されたシナリオ実行要求信号を、通信ネットワーク１の通信方式であるＳＩＰのプロトコルに変換するプロトコル変換を行い、変換したシナリオ実行要求信号を通信ネットワーク１に送信することにより、中継処理を行う（ステップＳ７）。
【００４１】
通信ネットワーク１において、情報提供装置３−１から送信されるシナリオ実行要求信号に応じてサービスシナリオに基づき処理を実行し、処理結果を応答データとして情報提供装置３−１に送信する（ステップＳ８）。
情報提供装置３−１において、通信ネットワーク１に接続するＩＭＳ対応部３１は、通信ネットワーク１からＳＩＰによる応答データを受信し、受信した応答データを非ＩＭＳ手段３８に出力する（ステップＳ９）。
【００４２】
非ＩＭＳ手段３８は、応答データを含む変換処理要求信号をネットワークＡ８対応部３２に出力する（ステップＳ１０）。この変換処理要求信号は、入力されるＳＩＰによる応答データを、ネットワークＡ８の通信方式である固有プロトコルＡの形式に変換する処理を要求する信号である。
ネットワークＡ８対応部３２は、入力される応答データに含まれるデータ部分をネットワークＡ８に応じた形式にデータ変換し、プロトコル変換を行い、変換結果を連携サービスの結果となる連係情報としてネットワークＡ８に送信し（ステップＳ１１）、ネットワークＡ８の連携サービス要求信号の送信元である端末５が連携情報を受信する（ステップＳ１２）。
【００４３】
上述の信号振り分けシステム１０１によれば、他ネットワーク２のネットワークＡ８で用いられている通信プロトコル（固有プロトコルＡ）に対応するネットワークＡ８対応部３２と、通信ネットワーク１で用いられている通信プロトコル（ＳＩＰ）に対応するＩＭＳ対応部３１とを備える情報提供装置３−１が、ネットワークＡ８と通信ネットワーク１との信号を終端することができ、信号の振り分けが可能になるという効果がある。
これにより、ネットワークＡ８上に展開されている他ネットワークサービスと、通信ネットワーク１上に展開されている通信ネットワークサービスとの連携が可能となり、今までにないサービスが作成可能になるという効果がある。
【００４４】
次に、信号振り分けシステム１００の他の構成例として、家庭内ネットワークにおける装置に対するサービスを連携する信号振り分けシステム１０２の構成例を図面を用いて説明する。図７は、信号振り分けシステム１０２の全体構成を示す概略構成図である。同図において、図３の信号振り分けシステム１００と同様の構成については、同一の符号を付し、異なる構成について説明する。
【００４５】
図７において、信号振り分けシステム１０２は、通信ネットワーク１と、情報ネットワーク４１と、家庭内ネットワークであるホームネットワーク６と、非ＩＭＳネットワーク１０とのネットワークと、情報提供装置３−２とを備える。
信号振り分けシステム１０２における各構成の接続関係について説明する。情報提供装置３−２のＩＭＳ対応部３１は、通信ネットワーク１に接続され、ＳＩＰによるプロトコルで通信する。Ｗｅｂ対応部３３は、情報ネットワーク４１に接続され、ＳＯＡＰによるプロトコルで通信する。非ＩＭＳ対応部１２１は、非ＩＭＳネットワーク１０とホームネットワーク６とに接続され、機器固有プロトコルや、ＥＣＨＯＮＥＴ／ＵＰｎＰなどの種々のプロトコルにより通信する。
【００４６】
ホームネットワーク６は、例えば、家庭内ＬＡＮなどにより、通信ネットワーク１、情報ネットワーク４１、非ＩＭＳネットワーク１０、及び、情報提供装置３−２と接続する装置が備えられているネットワークであり、ここでは、電話機６１と、パーソナルコンピュータなどの情報端末６２とのユーザ端末と、情報家電機器６３と、ホームゲートウェイ６４とを備える。
【００４７】
ホームネットワーク６において、電話機６１は、ＳＩＰのプロトコルにより、通信ネットワーク１を経由して接続される機器と通信する装置である。情報端末６２は、例えば、パーソナルコンピュータなどの装置が適用され、ＳＯＡＰのプロトコルにより、情報ネットワーク４１を経由して接続される機器と通信する。
情報家電機器６３は、ネットワーク経由でユーザ端末からの各種制御信号を受信する家電製品であり、ホームゲートウェイ６４と、情報提供装置３−２の非ＩＭＳ対応部１２１とに接続される。また、情報家電機器６３は、ホームゲートウェイ６４を介して、ＥＣＨＯＮＥＴ／ＵＰｎＰや、機器固有のプロトコルにより、非ＩＭＳネットワーク１０の情報家電機器制御サーバ１０−１と通信する。
【００４８】
非ＩＭＳネットワーク１０は、情報家電機器制御サーバ１０−１を備え、ＳＯＡＰによる通信により情報ネットワーク４１と接続する。非ＩＭＳネットワーク１０において、情報家電機器制御サーバ１０−１は、非ＩＭＳネットワーク１０を介して、又は、直接、情報提供装置３−２の非ＩＭＳ対応部１２１と通信する。
【００４９】
図７に示す信号振り分けシステム１０２により、例えば、ホームネットワーク６の電話機６１は、通信ネットワーク１を介して、情報家電機器６３へのＳＩＰによる制御要求信号を情報提供装置３−２に送信し、情報提供装置３−２がプロトコル変換処理を行い、変換した制御要求信号を情報家電機器制御サーバ１０−１に送信する。情報家電機器制御サーバ１０−１は、入力された情報家電機器６３に対する制御要求信号をホームゲートウェイ６４を介して、情報家電機器６３に出力し、情報家電機器６３が、当該制御要求信号に基づき、処理を行う。このように、信号振り分けシステム１０２において、電話機６１や、情報端末６２は、異なるプロトコルによる情報家電機器６３への制御信号を情報提供装置３−２に送信し、情報提供装置３−２が、制御信号を情報家電機器６３におけるプロトコルに変換することにより、情報家電機器６３に制御信号を送信することが可能になる。
【００５０】
次に、信号振り分けシステム１００の他の構成例として、信号振り分けシステム１０３の構成例を図面を用いて説明する。図８は、信号振り分けシステム１０３の全体構成を示す概略構成図である。同図において、図３の信号振り分けシステム１００と同様の構成については、同一の符号を付し、異なる構成について説明する。
信号振り分けシステム１０３は、通信ネットワーク１と、情報ネットワーク４１と、その他非ＩＭＳネットワーク１４と、情報提供装置３−３と、次世代通信網活用サービスプロバイダ２０１−１、２０１−２と、シナリオサーバ２０２と、Ｗｅｂ利用企業２００−１、２００−２と、サービスバス１１６とを備える。
【００５１】
その他非ＩＭＳネットワーク１４は、非ＩＭＳによる通信が適用されるネットワークであり、例えば、ＨｏｔＳｐｏｔ無線サービスシステムのネットワークや、各種非接触型カードが使用されるＲＦＩＤ（Radio Frequency IDentification）や、ＺｉｇＢＥＥなどが対象となるネットワークなどを適用することが可能である。
サービスバス１１６は、シナリオサーバ２０２と、Ｗｅｂ利用企業２００−１と、Ｗｅｂ利用企業２００−２と、情報提供装置３−３とに接続しており、それぞれに用いられるプロトコルにより通信する。
【００５２】
情報提供装置３−３において、通信制御機能を含む通信制御イネーブラ１１１とメディア制御機能を含むメディア制御イネーブラ１１２とコンテキスト情報制御機能を含むコンテキスト情報制御機能イネーブラ１１３とは、通信ネットワーク１に接続され、通信ネットワーク１において提供されるサービスを連携する連携サービスを行う。なお、通信制御イネーブラ１１１は、通信プロトコルとして、ＳＩＰにより、通信ネットワーク１と次世代通信網活用サービスプロバイダ２０１−１、及び次世代通信網活用サービスプロバイダ２０１−２と通信する。
【００５３】
他ネットワーク提供機能イネーブラ１１４は、ＳＭＳ（Short Message Service）、ＩＰＴＶ（IP Television）、ＰｏＣ（Push-to-Talk over Cellular）などの機能を備え、非ＩＭＳ通信によるネットワークであるその他非ＩＭＳネットワーク１４において提供されるサービスを連携する連携サービスを行う。なお、他ネットワーク提供機能イネーブラ１１４は、通信プロトコルとして、例えば、ＺｉｇＢＥＥプロトコルなど、その他非ＩＭＳネットワーク１４において用いられるプロトコルと同一のプロトコルにより、その他非ＩＭＳネットワーク１４を経由して接続される機器と通信する。さらに、他ネットワーク提供機能イネーブラ１１４は、その他非ＩＭＳネットワーク１４で用いられている無線、有線、ケーブル、コネクタ等の通信規格に対応するインタフェースを備えている。
【００５４】
信号振り分けシステム１０３におけるサービス提供元は、例えば、Ｗｅｂ利用企業２００−１、２００−２がそれぞれ備えるＷｅｂ−ＡＳ装置や、次世代通信網活用サービスプロバイダ２０１−１、２０１−２が備えるＳＩＰ−ＡＳ装置や、シナリオサーバ２０２がある。
次世代通信網活用サービスプロバイダ２０１−１、２０１−２は、それぞれ、サービスシナリオを備えるＳＩＰ−ＡＳ（ＳＩＰ−アプリケーションサーバ）装置を備える。また、Ｗｅｂ利用企業２００−１、２００−２は、それぞれ、サービスシナリオを備えるＷｅｂ−ＡＳ装置を備える。シナリオサーバ２０２は、サービスシナリオを備えており、当該サービスシナリオの読み出し要求や、新たなサービスシナリオの要求に応じて、サービスシナリオを作成し、応答する。
【００５５】
図８に示す信号振り分けシステム１０３において、情報提供装置３−３が、その他非ＩＭＳネットワーク１４で用いられている無線、有線、ケーブル、コネクタ等の通信規格に対応するインタフェースを備えることにより、プロトコルやデータ形式の異なるネットワーク間だけではなく、ケーブルやコネクタ等の通信規格の異なるネットワーク間の通信を中継して、サービスを連携することが可能になるという効果がある。
【００５６】
なお、上述の実施形態において、情報提供装置３、３−１、３−２、３−３によるデータ変換の例として、音声データの符号化形式の変換を例に説明したが、これに限られず、データ形式（フォーマット）の変換処理や、実データと意味データとの変換処理など、種々のデータ変換を適用することが可能である。
【００５７】
このデータ変換は、例えば、テレビ電話会議において、画像データの圧縮処理や、色数変更する減色処理を行うことにより、端末ごとの装置特性や、再生環境、処理能力の情報であるコンテキスト情報に応じて、高性能な端末には高い画質の画像データを送信し、モニタなどの画像出力手段のサイズが小さい端末には当該端末に適した画質や、画像サイズとなる画像データを送信する処理が適用可能である。
【００５８】
また、音声データや画像データの圧縮処理に限らず、例えば、実データと意味データとのデータ変換の例として、ＧＰＳ（Global Positioning System）機能を備える端末において、当該端末の現在位置の通知を行う際に、経度と緯度との数値で表される実データとしての位置情報を、都市名情報や、建築物などの名称情報などの意味のある情報に変換する処理でもよい。
【００５９】
また、実データを意味のあるデータに変換する他の例として、例えば、端末の状況を示す情報であるコンテキスト情報の過去の履歴に基づき、現在の端末の状況を示すコンテキスト情報を更新するなどの処理でもよい。これは、例えば、例えば過去３０分など、所定経過時間、コンテキスト情報の位置情報履歴において、端末の位置情報が会議室から変化しない場合、当該端末のユーザのコンテキスト情報のうち、ステータス情報を「会議中」に変更する処理などがある。
【００６０】
なお、上述の情報提供装置３、３−１、３−２、３−３は、内部にコンピュータシステムを有している。そして、情報提供装置３、３−１、３−２のＩＭＳ対応部３１、ネットワークＡ８対応部３２、Ｗｅｂ対応部３３、ネットワークＢ９対応部３４、サービス管理制御手段３５、サービスレジストリ手段３６、サービスシナリオ実行手段３７、非ＩＭＳ手段３８、ＩＭＳ対応手段３１１、情報提供装置３−３の通信制御イネーブラ１１１、メディア制御イネーブラ１１２、コンテキスト情報制御機能イネーブラ１１３、他ネットワーク提供機能イネーブラ１１４の動作の過程は、プログラムの形式でコンピュータ読み取り可能な記録媒体に記憶されており、このプログラムをコンピュータシステムが読み出して実行することによって、上記処理が行われる。ここでいう「コンピュータシステム」とは、ＣＰＵ及び各種メモリやＯＳ、周辺機器等のハードウェアを含むものである。
また、「コンピュータシステム」は、ＷＷＷシステムを利用している場合であれば、ホームページ提供環境（あるいは表示環境）も含むものとする。
【００６１】
また、図６に示す各ステップを実現するためのプログラムをコンピュータ読み取り可能な記録媒体に記録して、また、図５に示す情報提供装置３−１の機能を実現するためのプログラムをコンピュータ読み取り可能な記録媒体に記録して、また、図７における情報提供装置３−２の機能を実現するためのプログラムをコンピュータ読み取り可能な記録媒体に記録して、また、図８における情報提供装置３−３の機能を実現するためのプログラムをコンピュータ読み取り可能な記録媒体に記録して、この記録媒体に記録されたプログラムをコンピュータシステムに読み込ませ、実行することにより、ＩＭＳに対応したＮＧＮによるネットワークと、ＩＭＳに対応していない他のネットワークとの間のサービスを連携する処理を行ってもよい。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６２】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムに既に記録されているプログラムとの組合せで実現できるもの、いわゆる差分ファイル（差分プログラム）であっても良い。
【産業上の利用可能性】
【００６３】
本発明により、ＩＭＳ対応のネットワークのみならず非ＩＭＳ対応のネットワークを含めた他ネットワーク上に広く展開されているサービスと、次世代通信ネットワーク上に展開されているサービスとの連携ができ、他ネットワークのサービスと連携することにより、今までにないサービスが作成可能となるので通信産業、及び、Ｗｅｂ産業の一層の発展に資する効果がある。
【図面の簡単な説明】
【００６４】
【図１】本発明の一実施形態による信号振り分けシステム１００を示す概略構成図である。
【図２】同実施形態における信号振り分けシステム１００の各構成の基本機能を示す概念図である。
【図３】同実施形態における情報提供装置３の内部構成例、及び、各ネットワークとの接続関係を示す図である。
【図４】図３に示す情報提供装置３と、各ネットワークとの間の通信方式を示す図である。
【図５】同実施形態における信号振り分けシステム１０１の構成図である。
【図６】同実施形態における信号振り分けシステム１０１の動作を示すである。
【図７】同実施形態における信号振り分けシステム１０２の構成図である。
【図８】同実施形態における信号振り分けシステム１０３の構成図である。
【符号の説明】
【００６５】
１  通信ネットワーク
２  他ネットワーク
３、３−１、３−２、３−３  情報提供装置
３１  ＩＭＳ対応部
３２  ネットワークＡ８対応部
３３  Ｗｅｂ対応部
３４  ネットワークＢ９対応部
３５  サービス管理制御手段
３６  サービスレジストリ手段
３７  サービスシナリオ実行手段
３８  非ＩＭＳ手段
３９  コンテキスト情報ＤＢ
４１  情報ネットワーク
３１１  ＩＭＳ対応手段
４、５  端末
６  ホームネットワーク
６１  電話機
６２  情報端末
６３  情報家電機器
６４  ホームゲートウェイ
Ａ８、Ｂ９  ネットワーク
１０  非ＩＭＳネットワーク
１２、７１  サービス管理機能
１３、７２  データ
１５、７３  情報
１６、７４  接続制御機能
１４  その他非ＩＭＳネットワーク
１０−１  情報家電機器制御サーバ
１１１  通信制御イネーブラ
１１２  メディア制御イネーブラ
１１３  コンテキスト情報制御機能イネーブラ
１１４  他ネットワーク提供機能イネーブラ
１１６  サービスバス
１２１  非ＩＭＳ対応部
２００−１、２００−２  Ｗｅｂ利用企業
２０１−１、２０１−２  次世代通信網活用サービスプロバイダ
２０２  シナリオサーバ
【図１】
0004933472.tif 000002
【図２】
0004933472.tif 000003
【図３】
0004933472.tif 000004
【図４】
0004933472.tif 000005
【図５】
0004933472.tif 000006
【図６】
0004933472.tif 000007
【図７】
0004933472.tif 000008
【図８】
0004933472.tif 000009